(57)【要約】【課題】加熱調理時の操作性が向上し、天板の上面を掃除に際してはその作業を円滑かつ確実に実行できるガスコンロを提供すること。【解決手段】耐熱ガラスよりなる天板２２の上面位置にて、点火や火力調節等の各種の操作を行い得るように、天板２２の下面に光センサ等よりなる非接点型のスイッチ３８Ａ〜３８Ｇを設ける。そのスイッチ３８Ａ〜３８Ｇにて操作者の操作が検出されたときに、その操作に応じた特定の動作が行われるように制御する制御装置を設ける。【選択図】      図７
2004360926.tif 000002
【特許請求の範囲】
【請求項１】
ガスバーナを収容するコンロ本体の上面を覆うようにした天板をガラス板により形成したガスコンロにおいて、
前記天板の下側に検出手段を配設し、操作者の操作が検出手段により検出されたときに、その操作に応じた特定の動作がガスバーナで行われるように制御する制御部を設けたことを特徴とするガスコンロ。
【請求項２】
ガスバーナを収容するコンロ本体の上面を覆う天板をガラス板とするとともに、その天板にはガスバーナ用開口が形成されたガスコンロにおいて、
前記天板の上面に操作部を設け、天板の操作部に対応する下面には検出手段を設け、前記操作部における操作者の操作が前記検出手段により検出されたときに、その操作に応じた特定の動作が行われるように制御する制御部を設けたことを特徴とするガスコンロ。
【請求項３】
ガスバーナを収容するコンロ本体の上面を覆う天板をガラス板とするとともに、その天板にはガスバーナ用開口が形成されたガスコンロにおいて、
前記天板の上面に操作部を設け、天板の操作部に対応する下面には検出手段を設けるとともに、前記コンロ本体にはガスバーナにガスを供給する電磁ガス制御弁を設け、前記操作部における操作者の操作が前記検出手段により検出されたときに、前記電磁ガス制御弁の動作を制御する制御部を設けたことを特徴とするガスコンロ。
【請求項４】
前記検出手段として光センサを用いたことを特徴とする請求項２または３に記載のガスコンロ。
【請求項５】
前記天板の操作部は赤外線透過性であり、前記光センサは赤外線の発光部と受光部とからなることを特徴とする請求項４に記載のガスコンロ。
【請求項６】
前記天板の操作部は可視光線透過性であり、前記光センサは可視光線の発光部と受光部とからなることを特徴とする請求項４に記載のガスコンロ。
【請求項７】
前記検出手段として静電容量の変化により動作するスイッチを用いたことを特徴とする請求項２または３に記載のガスコンロ。
【請求項８】
前記天板の熱伝導率が１．０〜２．０Ｗ／ｍ・ｋの範囲内にあることを特徴とする請求項１〜請求項７のうちのいずれか一項に記載のガスコンロ。
【請求項９】
前記操作部がガスバーナの正面から外れた側方に配置されていることを特徴とする請求項２〜請求項８のうちのいずれか一項に記載のガスコンロ。
【請求項１０】
前記検出手段が天板上において異物あるいは小動物等の操作者以外のものを検出したときに、前記制御部が誤動作するのを防止する誤動作防止手段を設けたことを特徴とする請求項１〜請求項９のうちのいずれか一項に記載のガスコンロ。
【請求項１１】
操作者が誤操作したときに、前記制御部が誤操作に応じた制御動作を行わないように規制する動作規制手段を設けたことを特徴とする請求項１〜請求項１０のうちのいずれか一項に記載のガスコンロ。
【請求項１２】
前記ガスバーナの点火後に操作者が誤操作したときに、消火動作を行わせるための緊急消火手段を設けたことを特徴とする請求項１〜請求項１１のうちのいずれか一項に記載のガスコンロ。
【請求項１３】
前記制御部の動作をロックするためのロック手段を設けたことを特徴とする請求項１〜請求項１２のうちのいずれか一項に記載のガスコンロ。
【発明の詳細な説明】
【０００１】
【発明の属する技術分野】
この発明は、ガスバーナを備えたガスコンロに関するものであって、特に天板、いわゆるトッププレートをガラス板により構成したガスコンロに関するものである。
【０００２】
【従来の技術】
従来、この種のガスコンロとしては、コンロ本体の前面に操作部を設けて、コンロ本体に収容されたガスバーナを操作するガスコンロがある（特許文献１参照）。このガスコンロでは、操作部がコンロ本体の前面にあるので、バーナからの熱影響を受けることがないものの、カウンタトップの下に位置するので、操作性が悪い。また、このようなカウンタトップの開口にコンロ本体を埋設するいわゆるドロップイン式のものでは、カウンタトップの前面にも操作部を臨ませるための開口を設ける必要があるばかりでなく、カウンタトップへのコンロの設置にも手間がかかる。
【０００３】
そこで、例えば図１８及び図１９に示すような天板に操作部を配設した構成のものがある（特許文献２参照）。この構成においては、本体ケース５１が上面を開口した箱形状に形成され、その上端外周縁のフランジ部５１ａにて、キッチンのカウンタトップ５２に形成された取付孔５２ａに嵌挿支持されるようになっている。本体ケース５１の上面開口部には天板５３が取り付けられ、その後部上面には一対のバーナ用開口５３ａが形成されるとともに、前部には操作部用の一対の操作軸用透孔５３ｂが形成されている。前記バーナ用開口５３ａに対応して、本体ケース５１内には一対のガスバーナ５４が配設されている。また、両バーナ用開口５３ａの周辺には五徳５５が取り付けられている。
【０００４】
前記本体ケース５１内の前部中央には、各ガスバーナ５４の点火及び火力調節を行うための一対の点火・火力調節装置５６（ガスコック）が配設されている。そして、それらの操作軸５６ａが天板５３の操作軸用透孔５３ｂを介して天板５３の上方に突出され、天板５３の上面において、各操作軸５６ａには操作つまみ５７が取り付けられて操作部となっている。これらの操作つまみ５７を回動操作することにより、点火・火力調節装置５６が作動されて、各ガスバーナ５４の点火動作や火力調節が行われるようになっている。
【０００５】
【特許文献１】
特開平１０−８９７０４号公報
【特許文献２】
実開昭５８−１８６３０２号公報
【０００６】
【発明が解決しようとする課題】
このガスコンロにおいては、操作部が天板に配設されているから操作性はよくなった。しかし、前述のように、操作つまみ５７が天板５３の上面に突出して配置されている。このため、ガスバーナ５４を使用して加熱調理を行う場合に、特に大きい鍋を使用した場合に、これらの操作つまみ５７が熱影響を受けて、操作つまみが熱くなって操作しにくくなったり、この操作つまみが変形したりするおそれがある。また、このように加熱調理を行う場合、これらの操作つまみ５７が調理作業の邪魔になり、特に中華鍋のように大きく、重い鍋ではその底部が操作つまみ５７に当たって、不快な衝撃を感じたり、あるいは操作つまみ５７や点火・火力調節装置５６に不具合を生じたりするおそれがあった。さらに、天板５３の上面を掃除する場合に、これらの操作つまみ５７が作業の邪魔になる問題もあった。さらに、天板５３に操作軸用透孔５３ｂが形成されるため、この透孔５３ｂから煮こぼれ等が本体ケース５１内に入り込んで、点火・火力調節装置５６等の内装部品の故障の原因になったりするということもあった。
【０００７】
一方、前記加熱調理時における操作つまみ５７への熱影響を抑制するため、図１８及び図１９に２点鎖線で示すように、操作つまみ５７とガスバーナ５４との間において、天板５３の上面に遮熱板５８を立設した構成も従来から提案されている。ところが、このように遮熱板５８を設けた場合には、部品点数が増えることになる。これに加えて、天板５３がガラス板であると、遮熱板５８を天板５３と一体に形成することができず、従って、天板５３に孔を開け、遮熱板５８はその孔を通して本体ケース５１に組み付けられることになり、部品点数が増えることと相まって、ガスコンロの組み付けが面倒になる。そして、加熱調理や天板５３の掃除の際に、操作つまみ５７及び遮熱板５８の双方が邪魔になって、掃除作業が一層面倒になるという問題が生じた。加えて、遮熱板５８があるために、天板５３の上面を広く使うことができなくなって、大きな鍋や焼き網を使用する際に使い勝手が悪くなるとともに、鍋等がガスバーナ５４に近い遮熱板５８に当たりやすくなって、前述したような不快感を感じることが多くなる。
【０００８】
この発明は、このような従来の技術に存在する問題点に着目してなされたものである。その主たる目的は、操作つまみや遮熱板が天板上に突出することよる各種の不都合を解消できるガスコンロを提供することにある。
【０００９】
また、この発明のその上の目的は、天板に操作軸用透孔を形成する必要がなくて、透孔から煮こぼれ等が入り込んで、内装部品の故障の原因になるのを防止することができるガスコンロを提供することにある。
【００１０】
【課題を解決するための手段】
上記の目的を達成するために、請求項１に記載の発明においては、ガスバーナを収容するコンロ本体の上面を覆うようにした天板をガラス板により形成したガスコンロにおいて、前記天板の下側に検出手段を配設し、操作者の操作が検出手段により検出されたときに、その操作に応じた特定の動作がガスバーナで行われるように制御する制御部を設けたことを特徴とするものである。検出手段としては、例えば、非接点型のスイッチを採用できる。
【００１１】
従って、請求項１に記載の発明によれば、操作者の操作を検出する検出手段設けられているため、天板の上面側に突出する操作つまみが不要になる。このため、ガスバーナを使用して加熱調理を行う際に、前述した従来の操作つまみの変形等による操作性悪化のような問題は生じない。このため、従来のような遮熱板が不要となる。そして、この加熱調理時あるいは天板の上面を掃除する際に、その天板の上面には加熱調理や掃除作業の邪魔になる操作つまみや突出物が存在しないため、それらの作業を容易かつ迅速に、かつ快適に行うことができる。同様に、天板の上面に突出物が存在しないため、天板の上面を広く使うことができて、使い勝手がよい。さらに、透孔から煮こぼれ等が入り込んで、内装部品の故障の原因になるのを防止することもできる。そして、調理に直接関与しない遮熱板が不要であるため、部品点数が少なくなり、ガスコンロの組み付けが容易になる。
【００１２】
請求項２に記載の発明は、ガスバーナを収容するコンロ本体の上面を覆う天板をガラス板とするとともに、その天板にはガスバーナ用開口が形成されたガスコンロにおいて、前記天板の上面に操作部を設け、天板の操作部に対応する下面には検出手段を設け、前記操作部における操作者の操作が前記検出手段により検出されたときに、その操作に応じた特定の動作が行われるように制御する制御部を設けたことを特徴とするものである。前記と同様に、検出手段としては、例えば、非接点型のスイッチを採用できる。
【００１３】
従って、この請求項２に記載の発明によれば、前記請求項１とほぼ同様な作用効果を有するものであり、操作部が天板上にあって操作性に優れるものでありながら、天板の上面側に突出する操作つまみが不要になる。このため、ガスバーナを使用して加熱調理を行う際に、前述した従来の操作つまみの変形等による操作性悪化のような問題は生じない。このため、従来のような遮熱板が不要となる。そして、この加熱調理時あるいは天板の上面を掃除する際に、その天板の上面には加熱調理や掃除作業の邪魔になる操作つまみや突出物が存在しないため、それらの作業を容易かつ迅速に、かつ快適に行うことができる。同様に、天板の上面に突出物が存在しないため、天板の上面を広く使うことができて、使い勝手がよい。さらに、透孔から煮こぼれ等が入り込んで、内装部品の故障の原因になるのを防止することもできる。そして、前記のように、調理に直接関与しない遮熱板が不要であるため、部品点数が少なくなり、ガスコンロの組み付けが容易になる。
【００１４】
請求項３に記載の発明においては、ガスバーナを収容するコンロ本体の上面を覆う天板をガラス板とするとともに、その天板にはガスバーナ用開口が形成されたガスコンロにおいて、前記天板の上面に操作部を設け、天板の操作部に対応する下面には検出手段を設けるとともに、前記コンロ本体にはガスバーナにガスを供給する電磁ガス制御弁を設け、前記操作部における操作者の操作が前記検出手段により検出されたときに、前記電磁ガス制御弁の動作を制御する制御部を設けたことを特徴とするものである。前記と同様に、検出手段としては、例えば、非接点型のスイッチを採用できる。
【００１５】
従って、請求項３に記載の発明においては、請求項２と同様な作用を得ることができる。
請求項４に記載の発明は、請求項２または３に記載の発明において、前記検出手段として光センサを用いたことを特徴とするものである。
【００１６】
前記検出手段としては、請求項４のように光センサ、なかでも、請求項５のように赤外線を検出するタイプのもの、請求項６のように可視光線を検出するタイプのものを使用できる。また、検出手段として請求項７のように静電容量の変化を検出ものを用いることができる。
【００１７】
これらの検出手段により、操作者による操作を確実に検出して、ガスコンロの点火や火力調節等の特定の動作を確実に行わせることができる。
請求項８に記載の発明は、請求項１〜請求項７のうちのいずれか一項に記載の発明において、前記天板の熱伝導率が１．０〜２．０Ｗ／ｍ・ｋの範囲内にあることを特徴とするものである。
【００１８】
従って、この請求項８に記載の発明によれば、加熱調理時にガスバーナの熱が天板を介して操作部側に伝達されるのを低減することができる。このため、検出手段やその周辺機構に対して熱による影響が及ぶおそれを防止することができるとともに、操作部が熱くなるのを抑制できて、自然で快適な操作を行うことができる。
【００１９】
請求項９に記載の発明は、請求項２〜請求項８のうちのいずれか一項に記載の発明において、前記操作部がガスバーナの正面から外れた側方に配置されていることを特徴とするものである。
【００２０】
従って、この請求項９に記載の発明によれば、操作部をガスバーナから離間して配置することができて、加熱調理時に検出手段やその周辺機構に対して熱影響が及ぶおそれを防止することができる。また、操作部がガスバーナの正面から外れた側方に配置されているため、点火や火力調節等の操作を天板の上面手前側において容易に行うことができる。また、調理鍋をバーナから外したりする際、煮こぼれ等が操作部に落ちて検出手段が反応したり、あるいは汚れに起因した反応劣化による誤動作を防止できる。そして、このように、誤動作を防止できるため、検出手段の反応劣化を抑制できる。
【００２１】
請求項１０に記載の発明は、請求項２〜請求項８のうちのいずれか一項に記載の発明において、前記検出手段が天板上において異物あるいは小動物等の操作者以外のものを検出したときに、前記制御部が誤動作するのを防止する誤動作防止手段を設けたことを特徴とするものである。
【００２２】
従って、この請求項１０に記載の発明によれば、検出手段の上方の天板上に紙や布等の異物が載った場合、あるいはゴキブリやネズミ等の小動物が歩いた場合に、点火等の動作が誤って行われるのを防止することができる。
【００２３】
請求項１１に記載の発明は、請求項１〜請求項１０のうちのいずれか一項に記載の発明において、操作者が誤操作したときに、前記制御部が誤操作に対応した制御動作を行わないように規制する動作規制手段を設けたことを特徴とするものである。
【００２４】
従って、この請求項１１に記載の発明によれば、操作者により火力のアップ調節等の操作が誤って行われた場合でも、その誤操作によって火力のアップ動作が行われるのを規制することができる。
【００２５】
請求項１２に記載の発明は、請求項１〜請求項１１のうちのいずれか一項に記載の発明において、前記ガスバーナの点火後に操作者が誤操作したときに、消火動作を行わせるための緊急消火手段を設けたことを特徴とするものである。
【００２６】
従って、この請求項１２に記載の発明によれば、ガスバーナの点火後に操作者により、例えば複数の検出手段を構成するスイッチを一度に操作する等の誤操作が行われた場合に、ガスバーナを直ちに消火させることができる。
【００２７】
請求項１３に記載の発明は、請求項１〜請求項１２のうちのいずれか一項に記載の発明において、前記制御部の動作をロックするためのロック手段を設けたことを特徴とするものである。
【００２８】
従って、この請求項１３に記載の発明によれば、例えば天板の上面を掃除する際等において、検出手段の誤検出によって、点火等の動作が誤って行われるのを確実に防止することができる。
【００２９】
【発明の実施の形態】
（第１実施形態）
以下に、この発明の第１実施形態を、図１〜図９に基づいて説明する。
【００３０】
図１〜図３に示すように、この実施形態のガスコンロのコンロ本体としての本体ケース２１は上面を開口した箱形状に形成され、その上端外周縁にはフランジ部２１ａが形成されている。本体ケース２１の上面開口部２１ｂは耐熱ガラス板よりなる天板２２で覆われており、その天板２２の後部には一対のバーナ用開口２２ａが形成されるとともに、外周縁には枠体２２ｂが取り付けられている。この天板２２は透光性であるが着色（暗色）され、本体ケース２１内を視認できないようになっている。また、この天板２２としては、熱伝導率が１．０〜２．０Ｗ／ｍ・ｋの範囲内のガラスが用いられている。なお、この天板２２としては、結晶化ガラス、例えば、ドイツ国のショット社の「セラン」ガラス（「セラン」はショット日本株式会社の登録商標）が用いられている。そして、本体ケース２１がキッチンのカウンタトップ２３に形成された取付孔２３ａに嵌挿された状態で、本体ケース２１のフランジ部２１ａ及び天板２２の枠体２２ｂがそれぞれカウンタトップ２３の上面に支持されて、いわゆるドロップイン式ガスコンロとなっている。
【００３１】
図１、図２及び図４に示すように、前記本体ケース２１内には前記バーナ用開口２２ａと対向するように一対のガスバーナ２４Ａ，２４Ｂが横方向に間隔をおいて配設されている。この実施形態では、ガスバーナ２４Ａ，２４Ｂは炎口２４Ｅが環状で内方を向く内炎式バーナとなっている。また、バーナ用開口２２ａには五徳２５が取り付けられている。本体ケース２１の底面にはガス供給口２６が配置され、そのガス供給口２６がガス配管２７を介して両ガスバーナ２４Ａ，２４Ｂに接続されている。ガス配管２７の途中には、両ガスバーナ２４Ａ，２４Ｂへのガスの供給を通断するための電磁ガス制御弁としてのメイン開閉バルブ２８が接続されている。同じくガス配管２７の途中には各ガスバーナ２４Ａ，２４Ｂへのガスの供給を通断するとともに、ガス供給量を調節するための一対の電磁ガス制御弁としてのガス量調節バルブ２９Ａ，２９Ｂが接続されている。
【００３２】
図３、図４及び図７に示すように、前記本体ケース２１の内底部において、両ガスバーナ２４Ａ，２４Ｂの間の中間部であって、前端側の位置には制御ボックス３０が配設されている。この制御ボックス３０内には、図８に示すように、両ガスバーナ２４Ａ，２４Ｂの点火や火力調節等の各種動作を制御するためメイン開閉バルブ２８やガス量調節バルブ２９Ａ，２９Ｂ等を制御する制御部としての制御装置３１、及びその制御装置３１を動作させるためのプログラムデータや一時的なワーキングデータ等の諸データを記憶するメモリ３２が実装されている。本体ケース２１の内底部において制御ボックス３０の両側位置には、一対のイグナイタ３３Ａ，３３Ｂが配設され、これらのイグナイタ３３Ａ，３３Ｂはそれぞれ図示しない給電線を介してスパーカ３３ａ，３３ｂに接続されている。そして、そのスパーカ３３ａ，３３ｂにおける高電圧による放電により、各ガスバーナ２４Ａ，２４Ｂを点火させる。ガスバーナ２４Ａ，２４Ｂの吸気口２４ＡＫ，２４ＢＫは制御ボックス３０，スイッチ用基板３４，取付フレーム３５の近傍にあり、燃焼時に吸気口２４ＡＫ，２４ＢＫから一次空気を吸引することにより、この近傍に空気流が生じ、前記制御ボックス３０等が冷却される。
【００３３】
図３〜図７に示すように、制御ボックス３０の上方に配置されるように、天板２２の下面で、後述する操作部４０Ａ〜４０Ｇに対応する位置にはスイッチ用基板３４が取付フレーム３５を介して取り付けられている。すなわち、天板２２の下面には取付フレーム３５がシリコンゴムよりなる接着剤３６により接着固定され、その取付フレーム３５内にスイッチ用基板３４が複数のネジ３７により取り付けられている。前記取付フレーム３５は、スイッチ用基板３４に配設された後述する検出手段としての非接点型のスイッチ３８Ａ〜３８Ｇ及び表示ランプ３９Ａ〜３９Ｃと対応する部位に開口３５Ｋが形成された天面板３５Ｔを備えた底なしの箱体である。
【００３４】
前記開口３５Ｋのうち、非接点型のスイッチ３８Ａ〜３８Ｇ用の開口３５Ｋには周壁３５Ｓが備えられていて、スイッチ用基板３４が取付フレーム３５に取り付けられたとき、非接点型のスイッチ３８Ａ〜３８Ｇはこの周壁３５Ｓによって側方を囲われるとともに、頂部は開口３５Ｋを介して天板２２の操作部（後述する）に対向する。
【００３５】
前記スイッチ用基板３４の上部前縁には、複数の非接点型のスイッチ３８Ａ〜３８Ｇが横方向に間隔をおいて配設されている。すなわち、スイッチ用基板３４の前縁中央には電源スイッチ３８Ａが配置され、その電源スイッチ３８Ａの両側方には、各ガスバーナ２４Ａ，２４Ｂの点火及び消火を行わせるための一対の点消火スイッチ３８Ｂ，３８Ｃが配置されている。各点消火スイッチ３８Ｂ，３８Ｃの両側には、各ガスバーナ２４Ａ，２４Ｂの火力を調節するための各一対の火力アップスイッチ３８Ｄ，３８Ｅ及び火力ダウンスイッチ３８Ｆ，３８Ｇが配置されている。
【００３６】
この実施形態においては、前記「セランガラス」を用いているので、暗色でコンロ内部が視認しにくく、また赤外線透過性であるので、ガラスに特別な処理を施す必要はないが、もし、コンロ内部が視認されるようなガラスであれば、ガラス裏面に印刷を施すことになり、この場合、前記スイッチ３８Ａ〜３８Ｇと対応する天板２２の部分が赤外線を十分に透過するように、特定の光透過色に着色される。あるいは、特定の色に着色されることなく透明になっていてもよい。そして、前記各スイッチ３８Ａ〜３８Ｇとして、赤外線を発生する発光部としての発光素子３８ａと、赤外線を受光する受光部としての受光素子３８ｂとを有する光センサが用いられている。また、この構成に代えて、スイッチ３８Ａ〜３８Ｇと対応する天板２２の部分を可視光線が透過するように特定の色に着色形成し、あるいは透明に形成し、各スイッチ３８Ａ〜３８Ｇとして可視光線発光素子と受光素子とを有する光センサを用いることもできる。さらに、この構成に代えて、各スイッチ３８Ａ〜３８Ｇとして天板２２の上面の静電容量の変化により動作する静電容量型のスイッチを用いることもできる。この静電容量スイッチを用いた場合には、天板２２のスイッチと対応する部分を特定色に着色したり、透明にしたりする必要はない。
【００３７】
前記各スイッチ３８Ａ〜３８Ｇと対応するように、スイッチ用基板３４上には発光ダイオード等よりなる複数の表示ランプ３９Ａ〜３９Ｃが配設されている。すなわち、電源スイッチ３８Ａの後部には、電源の投入状態を点灯表示するための電源表示ランプ３９Ａが近接配置されている。一方のガスバーナ２４Ａ用の点消火スイッチ３８Ｂ、火力アップスイッチ３８Ｄ及び火力ダウンスイッチ３８Ｆの後側近傍には、火力の調節状態（強弱状態）を点灯表示するための５つの火力表示ランプ３９Ｂが横方向に配列されている。他方のガスバーナ２４Ｂ用の点消火スイッチ３８Ｃ、火力アップスイッチ３８Ｅ及び火力ダウンスイッチ３８Ｇの後側近傍には、火力の調節状態（強弱状態）を点灯表示するための５つの火力表示ランプ３９Ｃが横方向に配列されている。なお、当然のことながら、天板２２の各表示ランプ３９Ａ〜３９Ｃと対応する表示部分は、表示光が透過するように形成されている。
【００３８】
図７に示すように、前記各スイッチ３８Ａ〜３８Ｇ及び各表示ランプ３９Ａ〜３９Ｃと対応するように、前記取付フレーム３５には前記のように開口３５Ｋが形成されている。火力表示ランプ３９Ａ〜３９Ｃは、前記開口３５Ｋを介して天板２２の裏面に当接するようにしてスイッチ用基板３４が取付フレーム３５に取り付けられている。また、前述した接着剤３６を構成するシリコンゴムは透明であって、前記各開口３５Ｋの部分を含むスイッチ用基板３４全体と天板２２との間に介在されて、前記発光素子３８ａや表示ランプ３９Ａ〜３９Ｃ等からの光が天板２２の下面で乱反射しないようになっている。
【００３９】
図１、図５及び図７に示すように、前記各スイッチ３８Ａ〜３８Ｇの直上方に位置するように、天板２２の上面には操作部４０Ａ〜４０Ｇを示す表示が印刷あるいは着色により付設されている。この操作部４０Ａ〜４０Ｇは、ガスバーナ２４Ａ，２４Ｂの真正面から側方へずれた位置に配設されており、この配設位置は、この実施形態では両ガスバーナ２４Ａ，２４Ｂの中間前方になっている。そして、これらの操作部４０Ａ〜４０Ｇを操作者が選択的に接触操作したとき、それと対応するスイッチ３８Ａ〜３８Ｇにおいて、発光素子３８ａからの赤外線で反射して、それが受光素子３８ｂで感知され、操作者の操作状態が検出されるようになっている。また、前記各火力表示ランプ３９Ｂ，３９Ｃの両側上方に位置するように、天板２２の上面には各一対の火力表示マーク４１Ａ〜４１Ｄが印刷または着色により付設されている。そして、一対の火力表示マーク４１Ａ〜４１Ｄ間における火力表示ランプ３９Ｂ，３９Ｃの点灯表示位置に基づいて、火力の調節状態が確認できるようになっている。なお、図７においては、理解を容易にするために、操作部４０Ａ〜４０Ｇとして、その厚みを描いたが、実際には操作部４０Ａ〜４０Ｇの厚みは存在しない。
【００４０】
次に、前記のようなガスコンロの回路構成及び動作を、図８及び図９に基づいて説明する。図９に示すフローチャートは、メモリ３２内のプログラムデータに基づいて、制御装置３１の制御のもとに進行するものである。図１１等に示すこの実施形態とは別の実施形態のフローチャートにおいても同様である。
【００４１】
さて、このガスコンロの制御装置３１には、直流電源５９が接続されるとともに、各バルブ２８，２９Ａ，２９Ｂ及び各イグナイタ３３Ａ，３３Ｂを作動させるための交流電源６０が接続されている。そして、操作者により操作部４０Ａが接触操作されて、電源スイッチ３８Ａによりその操作状態が検出されたとき、制御装置３１により電源表示ランプ３９Ａが点灯される。その後、操作部４０Ｂ，４０Ｃが接触操作されて、点消火スイッチ３８Ｂ，３８Ｃによりその操作状態が検出されたとき、制御装置３１によりバルブ２８，２９Ａ，２９Ｂが開放されるとともに、イグナイタ３３Ａ，３３Ｂが作動されて、ガスバーナ２４Ａ，２４Ｂが点火される。
【００４２】
この場合、制御装置３１により誤動作防止手段が構成され、スイッチ３８Ａ〜３８Ｇが天板２２上における異物や小動物等の操作者以外のものを検出したとき、制御装置３１が誤動作しないようになっている。すなわち、図９に示すプログラムにおいて、電源スイッチ３８Ａが単独で２秒間連続して操作されたか否かが判別され（ステップＳ１）、２秒間以上で連続して単独操作されない場合には前記交流電源６０が投入されない。そして、電源スイッチ３８Ａの２秒間以上の連続操作により、交流電源６０が投入されると、その後に点消火スイッチ３８Ｂ，３８Ｃが操作されたか否かが判別される（ステップＳ２）。
【００４３】
この判別において、点消火スイッチ３８Ｂ，３８Ｃが操作されない場合には、電源スイッチ３８Ａの操作から１５秒間経過したか否かが判別される（ステップＳ３）。そして、電源スイッチ３８Ａの操作から１５秒間以上経過した場合には、交流電源６０が遮断されて初期状態に戻される。これに対して、電源スイッチ３８Ａの操作から１５秒間以内に点消火スイッチ３８Ｂ，３８Ｃが操作された場合には、点火動作が行われる（ステップＳ４）。
【００４４】
よって、天板２２の操作部４０Ａ〜４０Ｇ上に紙や布等の異物が載って、電源スイッチ３８Ａ及び点消火スイッチ３８Ｂ，３８Ｃが同時に操作状態になった場合や、電源スイッチ３８Ａのみが操作状態に継続された場合には、制御装置３１からバルブ２８，２９Ａ，２９Ｂ及びイグナイタ３３Ａ，３３Ｂに点火動作信号が出力されることはない。また、天板２２の操作部４０Ａ〜４０Ｇ上をゴキブリやネズミ等の小動物が移動して、電源スイッチ３８Ａが短時間だけ操作状態になった場合にも、制御装置３１から点火動作信号が出力されることはない。従って、スイッチ３８Ａ〜３８Ｇが天板２２上の異物や小動物等の操作者以外のものを検出して、ガスバーナ２４Ａ，２４Ｂが誤って点火されるのを防止することができる。
【００４５】
また、このガスバーナ２４Ａ，２４Ｂの点火時には、たとえ、消火時の火力がどのような強さであっても、ガス量調節バルブ２９Ａ，２９Ｂによる火力の調節状態が複数段階（例えば５段階）のうちで、中間の調節状態（例えば、５段階のうちのレベル３）に設定され、点火に適したガス量としている。このため、火力を変更する必要がある場合には、火力アップスイッチ３８Ｄ，３８Ｅまたは火力ダウンスイッチ３８Ｆ，３８Ｇを操作すれば、制御装置３１によりガス量調節バルブ２９Ａ，２９Ｂが作動されて、火力が中間の調節状態からアップ調節またはダウン調節される。
【００４６】
この場合、前記制御装置３１により動作規制手段が構成され、操作者が火力アップのために操作部４０Ｄ，４０Ｅによりスイッチ３８Ｄ〜３８Ｅを連続操作したとしても、その連続操作に応じた火力アップ制御動作が行われないようになっている。すなわち、前記火力アップスイッチ３８Ｄ，３８Ｅは１回毎の操作により火力が１段階ずつアップ方向に変更されるようになっていて、連続操作されても、制御装置３１はそれを受け付けず、火力の急激なアップ調節動作が規制される。よって、この火力アップスイッチ３８Ｄ，３８Ｅについては、段階的な操作のみが有効となって火力調節が行われる。なお、火力ダウンスイッチ３８Ｆ，３８Ｇが連続操作された場合には、その操作が制御装置３１により有効化され、火力がダウンされる。
【００４７】
また、このガスバーナ２４Ａ，２４Ｂの点火後には、前記制御装置３１により緊急消火手段が構成されて、操作者が誤操作したときに、消火動作が行われるようになっている。すなわち、ガスバーナ２４Ａ，２４Ｂの点火状態で、一度に多く（３つ以上）の操作部４０Ａ〜４０Ｇ、すなわちスイッチ３８Ａ〜３８Ｇが操作されたときには、制御装置３１により異常操作と判断され、各バルブ２８，２９Ａ，２９Ｂが閉じられて、ガスバーナ２４Ａ，２４Ｂが消火される。また、ガスバーナ２４Ａ，２４Ｂの点火状態で、点消火スイッチ３８Ｂ，３８Ｃと他のスイッチ３８Ｄ〜３８Ｇとが同時に操作されたときには、制御装置３１により点消火スイッチ３８Ｂ，３８Ｃの操作が優先されて、ガスバーナ２４Ａ，２４Ｂが消火される。もちろん、ガスバーナ２４Ａ，２４Ｂの点火状態で、点消火スイッチ３８Ｂ，３８Ｃが単独で操作された場合には、ガスバーナ２４Ａ，２４Ｂが消火される。
【００４８】
従って、この実施形態によれば、以下のような効果を得ることができる。
（１）  このガスコンロにおいては、耐熱ガラスよりなる天板２２の上面位置にて点火や火力調節等の各種の操作を行い得るように、天板２２の下面に非接点型のスイッチ３８Ａ〜３８Ｇが設けられている。そして、そのスイッチ３８Ａ〜３８Ｇにて操作者の操作が検出されたときに、その操作に応じた特定の動作が行われるように制御する制御装置３１が設けられている。
【００４９】
このため、天板２２の上面に点火や火力調節等の操作を行うための操作つまみが突出配置されることはない。よって、操作つまみの存在に付随する操作性悪化等の問題は生じることがなく、操作性が向上する。また、操作つまみが存在しないため、遮熱板も不要であり、中華鍋のような重いものであっても、ガスコンロの上面で支障なく扱うことができるとともに、天板２２の上面を広く快適に使用できる。また、操作つまみが存在しないため、天板２２の上面を掃除する際に、その作業を容易かつ迅速に行うことができるとともに、拭き残しなく掃除できて、衛生的に保つことができる。さらに、バーナ用開口２２ａのほかに天板２２に操作軸を挿通するための透孔を形成する必要がないので、天板２２を形成するガラスの強度低下を招くことがなく、この透孔から煮こぼれ等が入り込んで、内装部品の故障の原因になるような不都合を防止することもできる。しかも、操作つまみや遮熱板が不要であるため、それらの組み付けが不要になり、ガスコンロの組み付けが簡単になる。
【００５０】
（２）  このガスコンロにおいては、操作部４０Ａ〜４０Ｇがガスバーナ２４Ａ，２４Ｂの真正面から外れた側方に配置されている。このため、スイッチ３８Ａ〜３８Ｇをガスバーナ２４Ａ，２４Ｂから離間して配置することができて、加熱調理時にスイッチ３８Ａ〜３８Ｇに対して熱影響が及ぶおそれを確実に防止することができる。また、操作部４０Ａ〜４０Ｇがガスバーナ２４Ａ，２４Ｂの真正面ではなく、左または右にずれて配置されることになり、点火や火力調節等の操作を容易に、かつ誤りなく行うことができる。さらに、鍋等を五徳から外したりする際に落下した煮こぼれ等で汚れることがなく、スイッチの反応劣化が生じにくい。
【００５１】
（３）  このガスコンロにおいては、前記天板２２のスイッチ３８Ａ〜３８Ｇと対応する部分が赤外線を透過するように形成されている。また、前記スイッチ３８Ａ〜３８Ｇとして赤外線発光素子３８ａと受光素子３８ｂとを有する光センサが用いられている。このため、赤外線の反射光の変化に基づいて、操作者の操作を正確に検出することができ、その操作に応じて点火や火力調節等の特定の動作を確実に行わせることができる。
【００５２】
また、前記の構成に代えて、スイッチ３８Ａ〜３８Ｇとして可視光線発光素子と受光素子とを有する光センサを用いた場合や、静電容量の変化により動作する静電容量型のスイッチを用いた場合も、同様に操作者の操作を正確に検出することができる。
【００５３】
（４）  このガスコンロにおいては、前記天板２２の熱伝導率が１．０〜２．０Ｗ／ｍ・ｋの範囲内に設定されている。このため、加熱調理時にガスバーナ２４Ａ，２４Ｂの熱が天板２２を介してスイッチ３８Ａ〜３８Ｇ側に伝達されるのを低減することができて、スイッチ３８Ａ〜３８Ｇに熱影響が及ぶおそれを防止することができる。従って、スイッチ３８Ａ〜３８Ｇが過熱されて動作不良になったりするおそれを未然に防止できるとともに、操作部４０Ａ〜４０Ｇが不快なほどに熱くなることがなく、快適に操作できる。
【００５４】
（５）  このガスコンロにおいては、前記スイッチ３８Ａ〜３８Ｇが天板２２上の異物や小動物を検出したときに、前記制御装置３１の誤動作が防止されるようになっている。このため、スイッチ３８Ａ〜３８Ｇの上方の天板２２上に紙や布等の異物が載った場合、あるいはゴキブリやネズミ等の小動物が歩いた場合、点火等の動作が意図せずに行われるのを確実に防止することができる。
【００５５】
（６）  このガスコンロにおいては、操作者が誤操作したときに、制御装置３１の動作が規制されるようになっている。このため、操作者により火力のアップ調節等の操作が誤って行われた場合でも、その誤操作に応じて火力のアップ動作が行われるのを確実に規制することができる。
【００５６】
（７）  このガスコンロにおいては、前記ガスバーナ２４Ａ，２４Ｂの点火後に操作者が誤操作したときに、消火動作が行われるようになっている。このため、ガスバーナ２４Ａ，２４Ｂの点火後に操作者により、例えば複数のスイッチ３８Ａ〜３８Ｇを一度に操作する等の誤操作が行われた場合に、ガスバーナ２４Ａ，２４Ｂを直ちに消火させることができて、調理ミス等を防止できる。
【００５７】
（第２実施形態）
次に、この発明の第２実施形態を、図１０及び図１１に基づいて前記第１実施形態と異なる部分を中心に説明する。なお、この第２実施形態以降の各実施形態の説明においても、第２実施形態と同様に、第１実施形態と異なる部分を中心に説明する。
【００５８】
さて、この第２実施形態においては、図１０に示すように、前記第１実施形態の点消火スイッチ３８Ｂ，３８Ｃに代えて、スイッチ用基板３４上に消火機能のみの消火スイッチ４３Ａ，４３Ｂが配設されている。また、これらの消火スイッチ４３Ａ，４３Ｂの上方に位置するように、天板２２の上面には操作部４４Ａ，４４Ｂが印刷あるいは着色により付設されている。そして、この第２実施形態では、電源スイッチ３８Ａの操作後に、それぞれのガスバーナ２４Ａ，２４Ｂの操作部４０Ｄ等の火力アップスイッチ３８Ｄ，３８Ｅと火力ダウンスイッチ３８Ｆ，３８Ｇとを同時に操作することにより、点火動作が行われるようになっている。
【００５９】
そして、この第２実施形態においても、前記第１実施形態と同様に、制御装置３１により異物や小動物の検出時の誤動作を防止するための誤動作防止手段が構成されている。すなわち、図１１に示すように、電源スイッチ３８Ａが２秒間連続して単独操作された否かの判別が行われた後（ステップＳ５）、火力アップスイッチ３８Ｄ，３８Ｅと火力ダウンスイッチ３８Ｆ，３８Ｇとが同時に操作されたか否かの判別が行われる（ステップＳ６）。
【００６０】
この判別において、スイッチ３８Ｄ〜３８Ｇの同時操作が行われない場合には、電源スイッチ３８Ａの操作から１５秒間経過したか否かが判別される（ステップＳ７）。そして、電源スイッチ３８Ａの操作から１５秒間以上経過した場合には、交流電源が遮断されて初期状態に戻される。これに対して、電源スイッチ３８Ａの操作から１５秒間以内にスイッチ３８Ｄ〜３８Ｇが同時操作された場合には、点火動作が行われる（ステップＳ８）。
【００６１】
従って、この第２実施形態においても、前記第１実施形態における（１）〜（７）に記載の効果と同様の効果を得ることができる。
（第３実施形態）
次に、この発明の第３実施形態を、図１２に基づいて説明する。
【００６２】
この第３実施形態においては、各ガスバーナ２４Ａ，２４Ｂに対応して、それぞれ別々の電源スイッチ３８Ａがスイッチ用基板３４の上面両側に配設されている。また、これらの電源スイッチ３８Ａの上方に位置するように、天板２２の上面には操作部４０Ａがそれぞれ印刷または着色により付設されている。そして、この実施形態においても、前記第１実施形態の図９に示す動作と同様の点火動作が行われるようになっている。
【００６３】
従って、この第３実施形態においても、前記第１実施形態における（１）〜（７）に記載の効果と同様の効果を得ることができる。
（第４実施形態）
次に、この発明の第４実施形態を、図１３に基づいて説明する。
【００６４】
この第４実施形態では、天板２２の前縁側の枠体２２ｂに、赤外線等の発光素子４５ａ及び受光素子４５ｂよりなる操作者検出センサ４５が配設されている。そして、この操作者検出センサ４５により、カウンタトップ２３の前方側に操作者が存在しているか否かが検出され、操作者の存在が検出された場合のみに、スイッチ３８Ａ〜３８Ｇの操作に応じた点火等の動作が許容されるようになっている。
【００６５】
従って、この第４実施形態によれば、前記第１実施形態における（１）〜（７）に記載の効果に加えて、以下のような効果を得ることができる。
（８）  このガスコンロにおいては、操作者の存在を検出するための操作者検出センサ４５が設けられているため、スイッチ３８Ａ〜３８Ｇが天板２２上の異物や小動物を誤検出して、点火等の誤動作が行われるのを一層確実に防止することができる。つまり、この第４実施形態では、操作者検出センサ４５が操作者を検出しない場合には、点火や火力アップの動作が行われないように設定することが可能になる。
【００６６】
（第５実施形態）
次に、この発明の第５実施形態を、図１４及び図１５に基づいて説明する。
さて、この第５実施形態においては、図１４に示すように、ひとつの電源スイッチ３８Ａがスイッチ用基板３４の一側上面に配設され、この電源スイッチ３８Ａと対応するように、天板２２の上面には操作部４０Ａが印刷または着色により付設されている。また、電源スイッチ３８Ａと離間して位置するように、スイッチ用基板３４の他側上面にはロック手段としての操作ロックスイッチ４６が配設され、この操作ロックスイッチ４６と対応するように、天板２２の上面には操作部４７が印刷または着色により付設されている。
【００６７】
そして、天板２２の上面を掃除する場合等において、操作ロックスイッチ４６を操作した後、電源スイッチ３８Ａを操作することにより、スイッチ３８Ａ〜３８Ｇの操作不能状態が設定されるようになっている。すなわち、図１５に示すように、操作ロックスイッチ４６が２秒間連続して操作されたか否かが判別され（ステップＳ９）、２秒間以上連続して操作された場合には、その後に電源スイッチ３８Ａが操作されたか否かが判別される（ステップＳ１０）。
【００６８】
この判別において、電源スイッチ３８Ａが操作されない場合には、操作ロックスイッチ４６の操作から３秒間経過したか否かが判別される（ステップＳ１１）。そして、操作ロックスイッチ４６の操作から３秒間以上経過した場合には、初期状態に戻される。これに対して、操作ロックスイッチ４６の操作から３秒間以内に電源スイッチ３８Ａが操作された場合には、操作不能状態が設定される（ステップＳ１２）。
【００６９】
よって、この状態で天板２２の上面を掃除した場合、各スイッチ３８Ａ〜３８Ｇ上の操作部４０Ａ〜４０Ｇに触れても、それらのスイッチ３８Ａ〜３８Ｇが誤って検出動作されることはなく、不用意に点火動作等が行われるのを防止することができる。また、ガスコンロの不使用時に前述した操作不能状態を設定しておくことにより、異物や小動物により誤動作を防止できる。
【００７０】
また、この第５実施形態では、ガスバーナ２４Ａ，２４Ｂの点火状態で、前記操作ロックスイッチ４６と火力アップスイッチ３８Ｄ，３８Ｅまたは火力ダウンスイッチ３８Ｆ，３８Ｇとが同時に操作されたとき、火力の調節不能状態が設定されるようになっている。よって、この設定状態において、誤操作等により火力の調節が不用意に行われるのを確実に防止することができる。
【００７１】
従って、この第５実施形態によれば、前記第１実施形態における（１）〜（７）に記載の効果に加えて、以下のような効果を得ることができる。
（９）  このガスコンロにおいては、必要に応じて制御装置３１の動作がロックされるようになっている。このため、例えば天板２２の上面を掃除する際に、スイッチ３８Ａ〜３８Ｇの誤検出によって、点火等の動作が誤って行われるのを確実に防止することができる。
【００７２】
（第６実施形態）
次に、この発明の第６実施形態を、図１６に基づいて説明する。
この第６実施形態においては、前記第１実施形態の火力アップスイッチ３８Ｄ，３８Ｅ及び火力ダウンスイッチ３８Ｆ，３８Ｇに代えて、スイッチ用基板３４上に各５個の火力調節スイッチ４８Ａ，４８Ｂが配設されている。また、これらの火力調節スイッチ４８Ａ，４８Ｂと対応するように、天板２２の上面には各５個の操作部４９Ａ，４９Ｂが印刷または着色により付設されている。
【００７３】
そして、これらの火力調節スイッチ４８Ａ，４８Ｂを選択的に操作することにより、ガスバーナ２４Ａ，２４Ｂの火力が５段階に調節されるようになっている。このように、各段階の火力に対応したスイッチ４８Ａ，４８Ｂが設けられているため、火力調整操作を理解しやすく。その操作が容易であって、誤操作を防止できる。
【００７４】
従って、この第６実施形態においても、前記第１実施形態における（１）〜（７）に記載の効果と同様の効果を得ることができる。
（変更例）
なお、この実施形態は、次のように変更して具体化することも可能である。
【００７５】
・  図１７に示すように、天板２２の前縁側の枠体２２ｂの内端に位置決め用切欠部５０を形成し、この切欠部５０にスイッチ用基板３４の取付フレーム３５を嵌合させること。このように構成すれば、スイッチ用基板３４が天板２２の下面の所定取付位置に位置決めされる。よって、スイッチ用基板３４上に配設されたスイッチ３８Ａ〜３８Ｇを、天板２２の上面に付された操作部４０Ａ〜４０Ｇに対して正確に位置合わせすることができる。また、スイッチ用基板３４をバーナから離れて操作者に近い側に配置できるため、バーナからの熱影響のおそれをさらに少なくできるとともに、操作しやすくなる。
【００７６】
・  前記各実施形態において、ガスバーナ２４Ａ，２４Ｂの燃焼中に、その火力調節状態をメモリ３２に記憶しておき、煮こぼれ等によりガスバーナ２４Ａ，２４Ｂが不用意に消火されたとき、その後の点火操作による点火に際して前の火力調節状態に戻されるように構成すること。このようにすれば、不本意な火力が選択されることがなく、消火前の状態に簡単に復帰できる。
【００７７】
・  前記各実施形態の動作において、電源スイッチ３８Ａ等を連続して操作する秒数、電源スイッチ３８Ａ等の操作から点消火スイッチ３８Ｂ，３８Ｃ等の操作までの経過秒数等を、任意に変更して設定すること。
【００７８】
・  前記各実施形態において、電源スイッチ３８Ａ等を連続して操作する秒数、電源スイッチ３８Ａ等の操作から点消火スイッチ３８Ｂ，３８Ｃ等の操作までの経過秒数等を、任意に設定できるようにする機能を設けること。このようにすれば、操作者の状況や希望に応じた作動態様を得ることができる。
【００７９】
・  前記各実施形態において、ガスバーナ２４Ａ，２４Ｂの配設数を１個または３個以上の複数に変更し、それに応じてスイッチ３８Ａ〜３８Ｇ及び操作部４０Ａ〜４０Ｇの数を変更すること。
【００８０】
・  前記各実施形態において、本体ケース２１の下面に複数の支持脚を突設し、ガスコンロをカウンタトップ２３の上面等に設置できるように構成すること。
・  前記各実施形態のガスコンロに、ガスコンロが誤操作された場合、その誤操作をブザー等により報知する報知手段を設けること。
【００８１】
・  前記各実施形態のガスコンロに、言葉による音声発生手段を設けて、操作の確認やガスコンロの状態（例えば、火力）等を操作者に対して言葉によって発するように構成すること。
【００８２】
・  前記ガスコンロに音声認識機能とそれによる動作機能を持たせ、操作者がガスコンロに対して音声により火力アップや消火等の動作を行わせることができるように構成すること。
【００８３】
【発明の効果】
以上、実施形態で例示したように、この発明においては、以下に示すような効果を発揮する。すなわち、操作つまみの変形等による操作性悪化のような問題には無縁であり、加熱調理時の操作性が向上し、天板の上面を掃除に際してはその作業を円滑かつ確実に実行できる。また、天板の上面に突出物が存在しないため、天板の上面を広く使うことができて、使い勝手がよくなる。さらに、天板に操作軸用透孔を形成する必要がないので、透孔から煮こぼれ等が入り込んで、内装部品の故障の原因になるのを防止することもできる。さらには、遮熱板のような調理に関与しない部材が不要となるため、構成が簡単になり、ガスコンロの組み付けも容易になる。
【図面の簡単な説明】
【図１】第１実施形態のガスコンロを示す平面図。
【図２】図１のガスコンロを拡大して示す側面図。
【図３】図２のガスコンロの部分拡大断面図。
【図４】図１のガスコンロの横断面図。
【図５】図１のガスコンロの操作部を拡大して示す部分平面図。
【図６】図５の操作部の下部のスイッチ部を示す部分断面図。
【図７】図５の７−７線における部分断面図。
【図８】図１のガスコンロの回路構成を示すブロック図。
【図９】同ガスコンロの点火動作を示すフローチャート。
【図１０】第２実施形態のガスコンロの操作部を示す部分平面図。
【図１１】同ガスコンロの点火動作を示すフローチャート。
【図１２】第３実施形態のガスコンロの操作部を示す部分平面図。
【図１３】第４実施形態のガスコンロを示す部分断面図。
【図１４】第５実施形態のガスコンロの操作部を示す部分平面図。
【図１５】同ガスコンロの操作ロック動作を示すフローチャート。
【図１６】第６実施形態のガスコンロの操作部を示す部分平面図。
【図１７】変形例のガスコンロを示す部分断面図。
【図１８】従来のガスコンロを示す平面図。
【図１９】図１８のガスコンロを拡大して示す側面図。
【符号の説明】
２１…コンロ本体としての本体ケース、２２…天板、２４Ａ，２４Ｂ…ガスバーナ、２８…電磁ガス制御弁としてのメイン開閉バルブ、２９Ａ，２９Ｂ…電磁ガス制御弁としての火力調節バルブ、３０…制御ボックス、３１…誤動作防止手段、動作規制手段及び緊急消火手段を構成する制御部としての制御装置、３２…メモリ、３４…スイッチ用基板、３８Ａ〜３８Ｇ…検出手段としての非接点型のスイッチ、３８ａ…発光素子、３８ｂ…受光素子、３９Ａ〜３９Ｃ…表示ランプ、４０Ａ〜４０Ｇ…操作部、４３Ａ，４３Ｂ，４８Ａ，４８Ｂ…検出手段としての非接点型のスイッチ、４４Ａ，４４Ｂ，４７，４９Ａ，４９Ｂ…操作部、４５…操作者検出センサ、４６…ロック手段としての操作ロックスイッチ。
【図１】
2004360926.tif 000003
【図２】
2004360926.tif 000004
【図３】
2004360926.tif 000005
【図４】
2004360926.tif 000006
【図５】
2004360926.tif 000007
【図６】
2004360926.tif 000008
【図７】
2004360926.tif 000009
【図８】
2004360926.tif 000010
【図９】
2004360926.tif 000011
【図１０】
2004360926.tif 000012
【図１１】
2004360926.tif 000013
【図１２】
2004360926.tif 000014
【図１３】
2004360926.tif 000015
【図１４】
2004360926.tif 000016
【図１５】
2004360926.tif 000017
【図１６】
2004360926.tif 000018
【図１７】
2004360926.tif 000019
【図１８】
2004360926.tif 000020
【図１９】
2004360926.tif 000021